(57)【要約】測定装置（１０２）のアラインメント手段（１００）が開示される。アラインメント手段は、ハウジング（１０４）、所望のアラインメントに平行な方向に主軸（２０４、３０４）を有する光学部品（１０６、２０２、３０２、６０６）、光学部品から第１の距離Ｓ１に、および主軸から第１の高さｈ１に置かれた第１の光源（１０８、２０６、３０６、６２０）、光学部品から第２の距離Ｓ２に、および主軸から第２の高さｈ２に置かれた第２の光源（１１０、２０８、３０８、６２２）、ならびに光学部品と、第１および第２の光源との間に配置された角度バリア手段（１１２、２１０、３１２、６１２）を備える。ハウジング、光学部品、および角度バリア手段は、主軸に沿ってｄ１'を上回る距離において第１の光源の可視性をブロックし、主軸に沿ってｄ２より小さい距離において第２の光源の可視性をブロックするように配置され、ｄ２は、ｄ１'より小さい。【選択図】図１
2021536285.tif 000002
【特許請求の範囲】
【請求項１】
測定装置のアラインメント手段であって、前記アラインメント手段は、
・  ハウジング、
・  所望のアラインメントに平行な方向に主軸を有する光学部品であって、前記ユーザの眼が前記光学部品の前記主軸にアラインされるように構成された、前記光学部品、
・  前記光学部品から第１の距離Ｓ１に、および前記主軸から第１の高さｈ１に置かれた第１の光源、
・  前記光学部品から第２の距離Ｓ２に、および前記主軸から第２の高さｈ２に置かれた第２の光源、
・  角度バリア手段
を備え、
前記光学部品は、焦点を備え、前記第１および第２の光源は、前記光学部品と前記焦点との間に置かれることを特徴とし、
前記ハウジング、前記光学部品、および前記角度バリア手段は、
・  前記主軸に沿ってｄ１'を上回る距離において前記第１の光源の可視性をブロックし、
・  前記主軸に沿ってｄ２より小さい距離において前記第２の光源の可視性をブロックするように配置され、ｄ２は、ｄ１'より小さく、
ｄ１'およびｄ２は、前記光学部品からの距離である、
アラインメント手段。
【請求項２】
前記ハウジング、前記光学部品、および前記角度バリア手段は、前記主軸に沿ってｄ２'を上回る距離において前記第２の光源の可視性をブロックするように配置され、ｄ２'は、ｄ１'より大きい、請求項１に記載のアラインメント手段。
【請求項３】
前記光学部品から第３の距離Ｓ３に、および前記主軸から第３の高さｈ３に配置された第３の光源をさらに備え、前記ハウジング、前記光学部品、および前記角度バリア手段は、前記主軸に沿ってｄ３より小さい距離において前記第３の光源の可視性をブロックするように配置され、ｄ３は、ｄ１'より大きくｄ２'より小さい、請求項２に記載のアラインメント手段。
【請求項４】
前記第１、第２および任意的な第３の光源の各々は、異なる有色光を提供するように配置された、請求項１〜３のいずれか一項に記載のアラインメント手段。
【請求項５】
前記第１、第２および任意的な第３の光源のうちの少なくとも１つは、点滅光源である、請求項１〜４のいずれか一項に記載のアラインメント手段。
【請求項６】
前記第１、第２および任意的な第３の光源のうちの少なくとも１つは、環状光源である、請求項１〜５のいずれか一項に記載のアラインメント手段。
【請求項７】
前記第１、第２および任意的な第３の光源の各々は、発光体およびライトガイドによって実装される、請求項１〜６のいずれか一項に記載のアラインメント手段。
【請求項８】
前記発光体は、発光ダイオードである、請求項７に記載のアラインメント手段。
【請求項９】
前記ライトガイドは、環状ライトガイド、三角形ライトガイド、楕円形ライトガイド、正方形ライトガイド、ライン型ライトガイドのうちの１つである、請求項７または８に記載のアラインメント手段。
【請求項１０】
前記角度バリア手段は、前記光学部品と、前記第１および第２の光源との間に配置された、請求項１〜９のいずれか一項に記載のアラインメント手段。
【請求項１１】
前記光学部品は、前記角度バリア手段と、前記第１および前記第２の光源との間に配置された、請求項１〜９のいずれか一項に記載のアラインメント手段。
【請求項１２】
前記角度バリア手段は、角度バリアディスクである、請求項１〜１０のいずれか一項に記載のアラインメント手段。
【請求項１３】
前記角度バリア手段は、支持構造またはハウジングである、請求項１〜９または１１のいずれか一項に記載のアラインメント手段。
【請求項１４】
請求項１〜１３のいずれか一項に記載のアラインメント手段を備える測定装置。
【請求項１５】
眼の圧力を測定するための装置である、請求項１４に記載の測定装置。
【請求項１６】
前記眼の前記圧力を測定するために前記眼の方へ押し出されるように構成されたプローブを備える、請求項１５に記載の測定装置。
【発明の詳細な説明】
【技術分野】
【０００１】
本開示は、一般に、光学系に関し、より具体的には、測定装置のアラインメント手段に関する。
【背景】
【０００２】
眼は、ヒトの体の最も敏感な部位の１つであり、細心の注意および用心を必要とする。しかしながら、かかる細心の注意および用心を以てしても、眼は、老化、汚染、偶発的損傷など様々な要因に起因して様々な病気に罹りやすい。かかる事例では、眼は、その検査および適切な処置のために検眼および／または眼科手技、例えば、網膜検査、眼圧測定、眼の手術などを経験する。かかる検眼および眼科手技は、測定装置を用いて行われる。さらに、検眼および眼科手技に用いられる測定装置は、正確な結果を達成するために眼に対する所望のアラインメントを必要とする。
【０００３】
現在、眼と測定装置との所望のアラインメントは、装置を手動で動かすことによって、および／または眼の位置を変更することによって達成される。所望のアラインメントを達成するために、装置および／または眼は、互いに近づく、および／または遠ざかる方向に動かされる。測定装置の多くは、ハンドヘルドであり、個人が所望のアラインメントを自身によって達成することを必要とする。代わりに、測定装置が支持部と関連付けられて、所望のアラインメントを達成するために個人からのフィードバックに基づいて動かされる。
【０００４】
しかしながら、測定装置のために現在用いられているアラインメント手段（すなわち、手順）は、いくつかの課題に直面する。かかる手段は、個人からの複数のフィードバック（すなわち、入力）および手動労力を必要とするので、ユーザフレンドリーではない。加えて、フィードバックは、誤りがちであり、装置のミスアラインメントにつながりうる。さらに、かかるアラインメント手段は、時間がかかり、非効率的であり、遅延し、実質的に不正確な結果につながる。さらに、かかるアラインメント手段は、所望のアラインメントを十分に確保できない。言い換えれば、測定装置のセルフアラインメントが難しい。
【０００５】
それゆえに、先の考察の観点から、従来の測定装置のためのアラインメント手段と関連付けられた前述の欠点を克服する必要がある。
【摘要】
【０００６】
本開示は、測定装置のアラインメント手段を提供することを目指す。本開示は、アラインメント手段を備える測定装置を提供することも目指す。本開示は、ユーザの眼と前記測定装置とのアラインメントの手動で時間がかかるプロセスの既存の問題への解決策を提供することを目指す。本開示の目的は、先行技術において遭遇する問題を少なくとも部分的に克服する解決策を提供すること、および前記測定装置との所望のアラインメントを達成するために実装しやすく、効率的、ロバストで、より速いアラインメント手段を提供することである。
【０００７】
一側面において、本開示のある実施形態は、測定装置のアラインメント手段を提供し、前記アラインメント手段は、
・  ハウジング、
・  所望のアラインメントに平行な方向に主軸を有する光学部品であって、前記ユーザの眼が前記光学部品の主軸にアラインされるように構成された前記光学部品、
・  前記光学部品から第１の距離Ｓ１に、および前記主軸から第１の高さｈ１に置かれた第１の光源、
・  前記光学部品から第２の距離Ｓ２に、および前記主軸から第２の高さｈ２に置かれた第２の光源、ならびに
・  角度バリア手段
を備え、
前記光学部品は、焦点を備え、前記第１および第２の光源は、前記光学部品と前記焦点との間に置かれて、
前記ハウジング、前記光学部品、および前記角度バリア手段は、
・  前記主軸に沿ってｄ１'を上回る距離において前記第１の光源の可視性をブロックし、
・  前記主軸に沿ってｄ２より小さい距離において前記第２の光源の可視性をブロックする
ように配置され、
ｄ２は、ｄ１'より小さく、
ｄ１'およびｄ２は、前記光学部品からの距離である。
【０００８】
別の側面では、本開示のある実施形態は、アラインメント手段を備える測定装置を提供する。
【０００９】
本開示の実施形態は、先行技術における前述の問題を実質的になくし、またはそれらに少なくとも部分的に対処して、ユーザと測定装置との所望のアラインメントを達成する、労力を要しない、実質的に正確、ロバストで効率的なアラインメント手段を可能にする。
【００１０】
本開示の追加的な側面、利点、特徴および目的は、添付の特許請求の範囲と併せて解釈される説明的な実施形態の図面および詳細な記載から明らかにされるであろう。
【００１１】
本開示の特徴は、添付の特許請求の範囲によって定義される本開示の範囲から逸脱することなく様々な組み合わせに組み合わされやすいことがわかるであろう。
【００１２】
上記の摘要、ならびに説明的な実施形態の以下の詳細な記載は、添付図面と併せて読まれたときにさらによく理解される。本開示を説明する目的で、本開示の例示的な構造が図面に示される。しかしながら、本開示は、本明細書に開示される特定の方法および手段には限定されない。そのうえ、当業者は、図面が縮尺通りではないことを理解するであろう。可能な限り、同様の要素は、同一の番号によって示されている。
【００１３】
次に、本開示の実施形態が以下の図を参照して、例としてのみ、記載される。
【図面の簡単な説明】
【００１４】
【図１】本開示のある実施形態による、測定装置のアラインメント手段の概略説明図である。
【図２】本開示のある実施形態による、アラインメント手段の実装の概略説明図である。
【図３】本開示のある実施形態による、アラインメント手段の例示的な実装の概略説明図である。
【図４】図４Ａ, 図４Ｂ, 図４Ｃはそれぞれ、本開示のある実施形態による、ユーザの眼に対するアラインメント手段の例示的な動作である。
【図５】図５Ａ, 図５Ｂ, 図５Ｃはそれぞれ、本開示のある実施形態による、ユーザの眼に対するアラインメント手段の例示的な動作である。
【図６】図６Ａ, 図６Ｂはそれぞれ、本開示のある実施形態によるアラインメント手段の実装の概略説明図である。
【実施形態の詳細説明】
【００１５】
添付図面では、下線付き番号は、下線付き番号がその上にある項目、または下線付き番号と隣接する項目を表すために用いられている。下線のない番号は、下線のない番号と項目を線で繋げることによって識別される項目に関係する。番号に下線がなく関連する矢印を伴うときには、下線のない番号は、矢印が指し示す一般的な項目を識別するために用いられる。
【００１６】
以下の詳細な記載は、本開示の実施形態およびそれらを実装できる方法を説明する。本開示を実施するいくつかのモードが開示されたが、本開示を実施または実行するために他の実施形態も可能であることを当業者は認識するであろう。
【００１７】
一側面において、測定装置のアラインメント手段であって、アラインメント手段は、
・  ハウジング、
・  所望のアラインメントに平行な方向に主軸を有する光学部品であって、ユーザの眼が光学部品の主軸にアラインされるように構成された光学部品、
・  光学部品から第１の距離Ｓ１に、および主軸から第１の高さｈ１に置かれた第１の光源、
・  光学部品から第２の距離Ｓ２に、および主軸から第２の高さｈ２に置かれた第２の光源、ならびに
・  角度バリア手段
を備え、
光学部品は、焦点を備え、第１および第２の光源は、光学部品と焦点との間に置かれて、
ハウジング、光学部品、および角度バリア手段は、
・  主軸に沿ってｄ１'を上回る距離において第１の光源の可視性をブロックし、
・  主軸に沿ってｄ２より小さい距離において第２の光源の可視性をブロックする
ように配置され、
ｄ２は、ｄ１'より小さく、
ｄ１'およびｄ２は、光学部品からの距離である。
【００１８】
本開示は、測定装置と、そのユーザとの間の所望のアラインメントを達成するためのアラインメント手段を提供する。本明細書に開示されるアラインメント手段は、所望のアラインメントを達成するための効率的、シームレス、ロバストで、より速く、最適化されたアラインメント手段を提供する。そのうえ、本明細書に開示されるアラインメント手段は、実装しやすい。加えて、既存の光学および非光学部品を用いて本開示を実装できる。さらに、アラインメント手段は、測定装置と、そのユーザとの間の所望のアラインメントを達成するためのユーザのフィードバックへの依存度を実質的に低減する。とりわけ、本明細書に開示されるアラインメント手段は、所望のアラインメントを達成するためにユーザが必要とする手動労力を低減する。それゆえに、ユーザによるフィードバックおよび手動労力の要件の低減が、所望のアラインメントを達成する際の誤差の確率を実質的に低減する。さらに、本開示に開示されるようなアラインメント手段を備える測定装置は、ユーザが理解して実装しやすい所望のアラインメントを達成するためのアプローチを提供する。
【００１９】
本開示の実施形態に準じて、アラインメント手段は、ユーザに対する測定装置の所望のアラインメントを達成しやすくするように構成される。具体的には、所望のアラインメントは、測定装置の適切な機能のために測定装置に対してユーザの眼を実質的に正確に位置決めすることを指す。とりわけ、アラインメント手段は、ユーザの視る方向、ユーザ（具体的にはユーザの眼）の測定装置からの距離、ユーザの傾き角、ならびにユーザの眼の垂直および水平アラインメントのうちの少なくとも１つを調整することによって、測定装置に対するユーザの眼の実質的に正確な位置決めを達成しやすくする。
【００２０】
さらに、測定装置は、眼のパラメータを測定する、像および／またはオブジェクトを視る、光波を解析するなどのために動作可能なデバイスを指す。ある例では、測定装置は、眼の圧力を測定するために動作可能であり、すなわち、測定装置は、眼の圧力を測定するための装置である。そのうえ、ユーザは、眼の手術、圧力測定などのようなタスクのために測定装置からの出力が必要なエンティティ（例えば、個人、装置、処理デバイスなど）であってよい。ユーザは、測定装置との所望のアラインメントをその正しい機能のために必要とする。具体的には、測定装置の正しい機能は、眼のパラメータを測定する、像を視る、光波を解析するなどの特定のタスクを行い、ユーザに正確な出力を提供する測定装置の能力に関係する。ユーザは、測定装置によって行われるタスクの正しい出力を得るために測定装置に対する正確な位置決めを必要とする。そのうえ、ユーザは、測定装置との所望のアラインメントを達成するためにアラインメント手段を用いる。
【００２１】
光学部品は、所望のアラインメントに平行な方向に主軸を有し、すなわち、光学部品の主軸は、ユーザの眼の光軸と平行である。従って、測定装置が用いられているときに、光学部品は、ユーザの眼が光学部品の主軸にアラインされるように構成される。
【００２２】
光学素子の主軸が測定装置の該当する軸と一致するような方法で本アラインメント手段を測定装置へ接続可能である。例えば、測定装置がトノメータであれば、光学素子の主軸は、トノメータ・プローブの押し出し方向（軸）と一致する。アラインメント手段を取り外し可能かまたは測定装置の一体的部分とすることができる。
【００２３】
任意に、アラインメント手段は、支持手段によって測定装置と作動的に連結される。支持手段は、アラインメント手段に支持を提供する円筒またはほぼ立方体構造である。
【００２４】
任意に、アラインメント手段に測定装置が永続的に取り付けられて、測定装置からそれを取り外すことはできない。別の事例では、アラインメント手段を測定装置に取り外し可能に連結でき、従って、アラインメント手段は、リムーバブルである。かかる事例では、アラインメント手段と測定装置の取り外し可能な連結により、アラインメント手段を別の測定装置に取り付けて使用することができる。
【００２５】
本開示を通して、「アラインメント手段」という用語は、測定装置と関連付けられた配置に関係する。アラインメント手段は、所望のアラインメントを達成するために複数の光学および非光学部品を備える。測定装置とユーザの眼との相互の正確な位置決めがそれらの間の所望のアラインメントを提供する。
【００２６】
前述のように、測定装置のアラインメント手段は、ハウジングを備える。加えて、ハウジングは、アラインメント手段の光学および非光学部品を収容するように構成される。ハウジングは、アラインメント手段の部品をアラインメント手段内のそれらの各位置に保持するようにさらに構成される。加えて、ハウジングは、外部干渉からの保護をアラインメント手段に提供する。さらに、ハウジングは、偶発的な損傷などの外因によって生じる損傷からアラインメント手段の部品を保護するようにも構成される。ハウジングは、第１端および第２端を有し、第１端は、ユーザの眼に面し、第２端は、測定装置の方にある。
【００２７】
任意に、ハウジングの本体は、本質的に光を通さず、または不透明である。ハウジングの本体を金属もしくは非金属材料から製造できる。加えて、ハウジングは、中空の立方体、ほぼ立方体、球などの規則的な幾何学的形状を有する。代わりに、ハウジングは、不規則な幾何学的形状を有する。
【００２８】
アラインメント手段は、光学部品を備える。光学部品は、光がそれを通過することをできるようにする屈折媒質である。屈折媒質である光学部品は、それを通過する光の経路を変更する。そのうえ、光学レンズは、ハウジングの第１端に置かれる。加えて、光学レンズは、所望のアラインメントに平行な方向に主軸（すなわち、光軸）を有する。主軸は、光学部品の光心（すなわち、幾何学的中心）を通過して光学部品の２つの曲率中心を結ぶ軸を指す。
【００２９】
さらに、アラインメント手段は、第１の光源および第２の光源を備える。第１および第２の光源は、光学部品の方へ光を発するように構成される。第１の光源は、光学部品から第１の距離Ｓ１に、および主軸から第１の高さｈ１に置かれる。ハウジングは、第１の光源をその中空構造内に取り囲む。加えて、第１の光源は、ハウジングの第２端の方に置かれる。第１の光源および光学部品のかかる位置決めは、第１の光源からの光線が光学部品上に投射されて、それを通過することを可能にする。
【００３０】
そのうえ、アラインメント手段は、第２の光源を備え、第２の光源は、光学部品から第２の距離Ｓ２に、および主軸から第２の高さｈ２に置かれる。加えて、第２の光源は、ハウジングの第２端の方に置かれる。第２の光源および光学部品のかかる位置決めは、第２の光源からの光線が光学部品上に投射されて、それを通過することを可能にする。
【００３１】
任意に、第１および第２の光源は、主軸より高く、それぞれ高さｈ１およびｈ２に置かれる。代わりに、任意に、第１および第２の光源は、主軸より低く置かれる。
【００３２】
任意に、第１の距離Ｓ１および第２の距離Ｓ２は、等しい。それゆえに、第１の光源および第２の光源は、光学部品から等しい距離に置かれる。
【００３３】
第１の高さｈ１および第２の距離ｈ２は、等しくないことがわかるであろう。言い換えれば、第１の光源および第２の光源は、互いに対して異なる高さに置かれる。とりわけ、第１の高さｈ１および第２の高さｈ２が等しくないので、それゆえに、第１の光源および第２の光源のいずれも他方の可視性をブロックしない。それゆえに、第１の光源および第２の光源の両方の可視性がアラインメント手段の正しい機能を可能にする。具体的には、第１の高さｈ１は、第２の距離ｈ２より小さいかまたは大きい。しかしながら、本開示を通して、簡潔かつ明確にするために、第１の高さｈ１が第２の距離ｈ２より大きいと見なされる。
【００３４】
任意に、アラインメント手段は、光学部品から距離Ｓ３に、および主軸から第３の高さｈ３に配置された第３の光源をさらに備える。ハウジングは、第３の光源をさらに取り囲む。加えて、第３の光源は、ハウジングの第２端の方に置かれる。第３の光源および光学部品のかかる位置決めは、第３の光源からの光線が光学部品上に投射されて、それを通過することを可能にする。
【００３５】
任意に、第３の光源は、第１および第２の光源より上、第１および第２の光源より下、または第１および第２の光源の間のいずれかに置かれる。
【００３６】
任意に、第１、第２および任意的な第３の光源のうちの少なくとも１つは、環状光源である。第１、第２および任意的な第３の光源は、リング、円形ディスクの形状である。加えて、第１、第２および任意的な第３の光源は、連続順に置かれる。この任意的な実施形態では、高さ（ｈ１，ｈ２，ｈ３）が主軸に対する環状光源の半径に対応し、すなわち、第１の環状光源がｈ１の半径を有し、第２の環状光源がｈ２の半径を有し、第３の環状光源がｈ３の半径を有する。
【００３７】
さらに、任意に、第１、第２および任意的な第３の光源の各々は、異なる有色光を提供するように配置される。第１、第２および任意的な第３の光源の各々の異なる色がそれらに固有の識別情報を提供する。そのうえ、第１、第２および任意的な第３の光源の異なる色により、ユーザは第１、第２および任意的な第３の光源のいずれかから来る光源をより容易に識別することができる。ある例では、第１の光源は、青色光を発してよく、第２の光源は、緑色光を発してよく、第３の光源は、黄色光を発してよい。
【００３８】
任意に、第１、第２および任意的な第３の光源のうちの少なくとも１つは、点滅光源である。加えて、第１、第２および任意的な第３の光源のいずれかの点滅により、ユーザは正しい光源を識別することができる。有益には、第１、第２および任意的な第３の光源のかかる点滅が、より容易でより速い所望のアラインメントの達成を可能にする。
【００３９】
より任意に、第１、第２および任意的な第３の光源は、発光体およびライトガイドによって実装される。発光体は、少なくとも１つの光線を光学部品の方へ発するように構成された光の源である。加えて、発光体は、その状態（ＯＮ／ＯＦＦ）を変更するように構成されたスイッチと関連付けられる。さらに、発光体はその機能のための電力を発光体に提供するように構成された電源に取り付けられる。ある例では、発光体は、発光ダイオードである。発光ダイオード（ＬＥＤ：ｌｉｇｈｔ  ｅｍｉｔｔｉｎｇ  ｄｉｏｄｅ）は、２リード半導体光源である。有益には、第１、第２および任意的な第３の光源のそのような高輝度は、視覚障害のあるユーザが第１、第２および任意的な第３の光源を識別することを可能にする。
【００４０】
さらに任意に、発光体は、第１、第２および任意的な第３の光源の適切な機能を達成することを可能にする、ライトガイドと関連付けられる。加えて、ライトガイドは、光を発光体から光学部品の方へ向けるように構成される。ライトガイドは、発光体からの光の初期の散乱を防止する。ある例では、ライトガイドは、環状ライトガイド、三角形ライトガイド、楕円形ライトガイド、正方形ライトガイド、ライン型ライトガイドのうちの１つである。前述の測定装置のユーザによる要件に基づいて発光体と関連付けられたライトガイドの形状を選ぶことができる。加えて、ライトガイドは、発光体から光学部品の方へ発せられた光の走行経路を制御するために動作可能である。
【００４１】
任意に、光学部品は、レンズ、例えば、収束レンズ、発散レンズ、組み合わせレンズ、フレネルレンズ、および同様のものである。光学部品は、光心をその幾何学的中心に有する。加えて、光学部品は、その光心を通り抜ける主軸を有する。さらに、光学部品の主軸は、少なくとも１つの焦点をその上に含む。そのうえ、光学部品は、少なくとも１つの焦点に対するそれらの位置に基づいて第１、第２および任意的な第３の光源の虚像を形成する。とりわけ、レンズによって形成される虚像は、第１および第２の光源から来る光線が交差しないときに形成される像に関係しているが、後方に伸ばされると交差するように見える。形成されるこれらの像は、本質的に見かけ上である。
【００４２】
光学部品は、第１および第２の光源の虚像を生成するために動作可能ないずれかのレンズであることがわかるであろう。しかしながら、本開示を通して、簡潔にかつ理解しやすくするために、光学部品は、収束レンズであると想定されてきた。
【００４３】
本開示を通して、「第１の光源を視ること」は、光学部品を通して第１の光源の虚像を視ることと関係し、「第２の光源を視ること」は、光学部品を通して第２の光源の虚像を視ることと関係することがわかるであろう。
【００４４】
任意に、第１の光源の第１の距離Ｓ１および第２の光源の第２の距離Ｓ２は、光学部品の光心と焦点との間の距離より小さい。さらに、第１の距離Ｓ１および第２の距離Ｓ２は、光学部品のタイプに応じて変動してよい。具体的は、虚像を生成するための光学部品の特性に基づいて第１および第２の光源の位置が変えられる。
【００４５】
任意に、本開示のある実装では、光学部品が収束レンズである。収束レンズは、焦点と光心との間にオブジェクトが配置されるときに虚像を生成するために動作可能である。収束レンズは、薄肉レンズ公式（すなわち、レンズ方程式）を適用することによって構成される。具体的には、薄肉レンズ公式は、物体距離の逆数と像距離の逆数との和が焦点距離の逆数に等しいことを示し、焦点距離は、光学部品の光心とその焦点との間の距離を指す。前述のように、第１および第２の光源は、光学部品の光心と焦点との間に置かれる。それゆえに、光学部品は、第１および第２の光源の虚像を焦点の背後に生成する。第１の光源の虚像は、ユーザによって光学部品を通して見ることができる。第１の光源の虚像は、主軸に沿って光心から距離ｄ１'まで視え、距離ｄ１'は、光学部品からの距離である。同様に、第２の光源の虚像をユーザによって光学部品を通して見ることができる。第２の光源の虚像は、主軸に沿って距離ｄ２以降に距離ｄ２'まで光学部品を通して視え、距離ｄ２は、光学部品からの距離である。とりわけ、第１および第２の光源の虚像がユーザによって光学部品を通して視られるときに、それらの虚像は、ハウジングの第１端から視られる。
【００４６】
光学部品は、焦点を備え、第１、第２および任意的な第３の光源は、光学部品と焦点との間に置かれる。光学部品の焦点（すなわち、フォーカス）は、主軸上に位置する。第１の距離Ｓ１、第２の距離Ｓ２および第３の距離Ｓ３は、光学部品の光心と焦点との間の距離より小さいことが理解されるべきである。具体的には、光学部品の光心と焦点との間の距離が光学部品の焦点距離を形成する。とりわけ、第１、第２および任意的な第３の光源の虚像は、ハウジングの第２端の方に形成される。結果として、第１、第２および任意的な第３の光源の虚像が光学部品を通してユーザに視える。この技術的効果は、たとえユーザの眼が装置に極めて接近していても、光学部品と焦点との間の第１および第２の光源のかかる位置決めが、ユーザに対する光源の明確な可視性を促進することである。そのうえ、ボケ効果を生じることがない。ボケ効果は、ユーザの眼に対する測定装置の不正確な位置決めにつながる。測定装置が不正確に置かれた場合、測定デバイスが誤った結果を生じることになり、ユーザにとって有害であろう。実際に、光学部品と焦点との間の光源の位置決めがユーザの眼に対する測定装置の正確な位置決めを可能にする。
【００４７】
前述のように、アラインメント手段は、角度バリア手段をさらに備える。角度バリア手段は、金属もしくは非金属媒体の不透明片である。さらに、角度バリア手段は、第１、第２および任意的な第３の光源から来る光の経路をブロックする、許容する、および／または変更するように構成される。
【００４８】
任意に、角度バリア手段は、光学部品と、第１および第２の光源との間に配置される。代わりに、光学部品が角度バリア手段と、第１および第２の光源との間に配置される。全体として、角度バリア手段は、光源から、測定装置のユーザの眼への光路をブロックできるように配置される。本質的に、角度バリアは、光学部品のいずれの側にもありうる。加えて、光学部品が２つ以上のレンズを備える場合、２つのレンズの間に角度バリアを配置できる。
【００４９】
任意に、角度バリア手段は、第１、第２および任意的な第３の光源の虚像の可視性を可能にする、光学部品より小さい高さを有する。角度バリア手段は、環状、矩形、多角形のうちの少なくとも１つを備える。角度バリア手段を角度バリアディスクとすることができる。角度バリア手段を光源（単数または複数）とユーザの眼との間の光路に配置された他の構造部品とすることもできる。一例として、ハウジングの一部が角度バリア手段として機能してよい。任意に／加えて、支持構造が角度バリア手段として機能してもよい。
【００５０】
代わりに、任意に、角度バリア手段は、光学部品以上の高さを有する。かかる事例では、角度バリア手段は、第１、第２および任意的な第３の光源から発する光がそれを通過することを可能にする切り込みをその中に有する。加えて、角度バリア手段上のかかる切り込みは、ユーザによって光学部品を通して視られる光のパターンを生成する。ある例では、ユーザは、所望のアラインメントをアラインメント手段によって達成するための特定の光パターンの虚像を視てよい。
【００５１】
任意に、アラインメント手段は、支持構造に取り付けられたプローブを備える。支持構造は、ハウジングに動作可能に取り付けられて、アラインメント手段のための支持構造を提供する。加えて、支持構造に取り付けられたプローブは、ハウジングの外部に置かれる。加えて、プローブは、光学部品の次にハウジングの第１端の方に置かれる。プローブは、ユーザの眼の特性を測定するために支持構造の内部で前後方向に移動するように配置される。ある実装例では、プローブがユーザの眼に当たる（それを衝撃する）ように配置されて、衝撃前、中および／または後のプローブの移動が測定される。測定結果は、眼の圧力を導き出すために解析される。前記測定例では、測定装置に（従って、プローブに）対してユーザの眼からの適切なアラインメントおよび適切な距離が必要である。追加の実施形態では、プローブを取り付けるための支持構造（または支持構造の一部）が角度バリア手段として機能してよい。別の実装例では、眼の特性を測定するために、プローブの代わりに、例えば、水パルスをユーザの眼に向けて提供できる。さらに別の例では、測定デバイスがアラインされた距離から眼／眼の網膜の写真をキャプチャするために用いられる。かかる例では、プローブの代わりにカメラ光学系／カメラが支持構造に取り付けられるとよい。
【００５２】
任意に、ハウジング、光学部品および角度バリア手段は、主軸に沿ってｄ２'を上回る距離において第２の光源の可視性をブロックするように配置され、ｄ２'は、ｄ１'より大きい。第２の光源の虚像は、距離ｄ２'まで視え、距離ｄ２'は有限距離である。距離ｄ２を上回り、距離ｄ２'より小さい距離が第２の光源の虚像の可視性範囲を形成し、可視性範囲は、光学部品の主軸に沿って位置する。
【００５３】
第１および第２の光源の可視性範囲は、一定（すなわち、固定）ではなく、ユーザおよび／または測定装置の使用による要件に従って変動しうることがわかるであろう。
【００５４】
前述のように、光学部品は、ハウジングの第１端に置かれる。加えて、ハウジングは、角度バリア手段をその中空構造内に取り囲む。そのうえ、ハウジングは、測定装置および／またはそのユーザの要件と互換性のある構造を有する。
【００５５】
さらにハウジング、光学部品、および角度バリア手段は、
・  主軸に沿ってｄ１'を上回る距離において第１の光源の可視性をブロックし、
・  主軸に沿ってｄ２より小さい距離において第２の光源の可視性をブロックする
ように配置され、
ｄ２は、ｄ１'より小さい。
【００５６】
とりわけ、ハウジングは、ユーザと関連付けられた光学部品を通して見るための視角、傾き角などを制限するように構造化される。角度バリア手段は、主軸上の距離ｄ１'まで第１の光源の可視性を可能にするように構成される。また、角度バリア手段は、距離ｄ２を上回る距離において第２の光源の可視性を可能にするように構成され、ｄ２は、ｄ１'より小さい。それゆえに、第１および第２の光源は、ｄ２を上回り、ｄ１'より小さい距離において重なる可視性範囲を有する。
【００５７】
そのうえ、第１の光源は、ｄ１'を上回る距離では視えず、第２の光源は、ｄ２より小さい距離では視えない。加えて、ｄ１は、ｄ２より小さく、ｄ２は、ｄ１'より小さい。それゆえに、第１および第２の光源は、主軸に沿って距離ｄ２を上回り、距離ｄ１'より小さい距離において視える。ある例では、第１の光源および第２の光源の可視性が測定装置との所望のアラインメントを示す。かかる例では、第１の光源のみの可視性は、ユーザが測定装置に近すぎることを示す。そのうえ、第２の光源のみの可視性は、ユーザがアラインメント手段から遠すぎることを示す。かかる事例では、所望のアラインメントを達成するために測定装置および／またはユーザの位置が変えられる。
【００５８】
任意に、所望のアラインメントが達成される距離が測定装置のための動作距離である。より任意に、異なる測定装置では、それらの動作および／または測定装置を用いるユーザの要件に応じて動作距離が異なる。
【００５９】
ある例では、測定装置は、第１の光のみが視えるときにその所望のアラインメントのための動作距離を有しうる。別の例では、測定装置は、第２の光のみが視えるときに所望のアラインメントのための動作距離を有しうる。
【００６０】
ある例示的な実装では、測定装置のアラインメント手段に２つの光源、具体的には第１の光源および第２の光源が実装されてよい。光学部品は、第１の光源および第２の光源の虚像を形成するように構成されてよい。測定装置のユーザは、第１および第２の光源の虚像を光学部品を通して視てよい。加えて、ユーザは、第１および第２の光源の虚像をそれらの可視性範囲内においてのみ視てよい。そのうえ、角度バリア手段は、ユーザの視経路をブロックすることによって光学部品を通る第１および第２の光源のビューを制限するように構成される。ハウジング、光学部品および角度バリア手段は、距離ｄ１'を上回る距離において、光学部品を通して、第１の光源の可視性をブロックするように配置されてよい。加えて、アラインメント手段は、ｄ２を上回る距離において第２の光源の可視性を可能にしてよく、ｄ２は、ｄ１'より小さい。ユーザは、所望のアラインメントを達成するために、第１および第２の光源の両方の虚像を視る必要がある場合がある。結果として、第１および第２の光源の視域の重なり部分がアラインメント手段のための動作距離を形成しうる。
【００６１】
別の例示的な実装では、測定装置のためのアラインメント手段に２つの有色光源、具体的には赤色光であってよい第１の有色光源および緑色であってよい第２の有色光源が実装されてよい。光学部品は、第１および第２の有色光源の虚像を形成するように構成されてよい。測定装置のユーザは、第１および第２の有色光源の虚像を光学部品を通して視てよい。加えて、ユーザは、第１および第２の有色光源の虚像をそれらの可視性範囲内においてのみ視てよい。加えて、ハウジング、光学部品および角度バリア手段は、距離ｄ１'を上回る距離において、光学部品を通して、第１の有色光源の可視性をブロックするように配置されてよい。そのうえ、角度バリア手段は、距離ｄ２'を上回る距離において第２の有色光源の可視性をブロックするように構成されてよく、ｄ２'は、距離ｄ１'より小さい。第１の有色光源および第２の有色光源は、重なる可視性範囲を有しえない。また、第１の有色光源および第２の有色光源の可視性範囲は、第１および第２の光源がいずれも視えない暗域をそれらの間に有しうる。それゆえに、いずれの事例においても、第１および第２の有色光源は、光学部品を通してユーザに視えないか、またはいずれかが視えてよい。加えて、第２の有色光源の可視性は、ユーザがアラインメント手段から遠すぎることを示してよく、第１の有色光源の可視性は、ユーザがアラインメント手段に近すぎることを示してよい。それゆえに、第１および第２の有色光源の可視性領域の間の暗域が測定装置の正しい機能のための動作距離を形成する。
【００６２】
ある例では、第１および第２の光源の虚像が重なっているか、またはユーザに視えないように思われることがある。かかる例では、所望のアラインメントからの収差がユーザによって観察されうる。
【００６３】
任意に、動作距離内の光の重なりまたは不可視性が所望のアラインメントからの収差（すなわち、ずれ）を示す。ある事例では、水平方向の収差があるときに、第２の光源が第１の光源の上部の背後に部分的に視られ、第１の光源と第２の光源との間の暗域がユーザによって観察される。別の事例では、垂直方向の収差があるときに、第２の光源が第１の光源の側（すなわち、左、または右）部の背後に部分的に視られ、第１の光源と第２の光源との間の暗域がユーザによって観察される。
【００６４】
ある例では、所望のアラインメントが達成されるときに、第１および第２の光源の虚像が光学部品を通してユーザに視える。加えて、暗域がユーザによって観察される。
【００６５】
任意に、所望のアラインメントは、第１、第２および任意的な第３の光源を用いて達成される。第３の光源の虚像は、光学部品によって焦点の背後に生成される。第３の光源の虚像は、距離ｄ３を上回る距離以降に距離ｄ３'まで視える。より任意に、距離ｄ３'は有限である。
【００６６】
任意に、ハウジング、光学部品、および角度バリア手段は、主軸に沿ってｄ３より小さい距離において第３の光源の可視性をブロックするように配置され、ｄ３は、ｄ１'より大きくｄ２'より小さい。角度バリア手段は、主軸に沿ってその可視性範囲内において第３の光源の可視性を可能にする。第３の光源は、距離ｄ３より前では視えない。加えて、第１、第２および任意的な第３の光源は、ｄ３を上回りｄ２'より小さい距離において視える。ｄ３を上回りｄ２'より小さい距離が第１、第２，および第３の光源を備える測定装置のための動作距離である。しかしながら、測定装置の動作および／またはそのユーザに基づいて動作距離を変更することができる。
【００６７】
ある例では、動作距離は、第１、第２の光源が視える、ｄ２とｄ１'との間の距離であってよい。別の例では、動作距離は、第２の光源のみが視える距離であってよい。
【００６８】
ある例示的な実装では、測定装置のためのアラインメント手段に３つの光源、具体的には第１の光源、第２の光源および第３の光源が実装されてよい。アラインメント手段の光学部品は、第１、第２および任意的な第３の光源の虚像を形成するように構成されてよい。測定装置のユーザは、第１、第２および任意的な第３の光源の虚像を光学部品を通して視てよい。加えて、ユーザは、第１、第２および第３の光源の虚像をそれらの可視性範囲内においてのみ視てよい。そのうえ、ハウジング、光学部品および角度バリア手段は、ユーザの視経路をブロックすることによって、光学部品を通る第１、第２および第３の光源のビューを制限するように配置される。具体的には、第１の光源の可視性は、距離ｄ１'を上回る距離においてブロックされてよい。加えて、ｄ２より小さい、およびｄ２'を上回る距離において、光学部品を通して、第２の光源の可視性がブロックされてよく、ｄ２は、ｄ１'より小さく、ｄ１'は、ｄ２'より小さい。それゆえに、第１および第２の光源は、重なる視域を有する。さらに、光学バリアディスクは、距離ｄ３を上回る距離において第３の光源の可視性を可能にするように構成され、ｄ３は、ｄ２'より大きい。ユーザは、所望のアラインメントを達成するために、第２の光源の虚像を視る必要がある場合がある。結果として、第２の光源のみの可視性範囲を含むｄ１'を上回りｄ３より小さい距離がアラインメント手段のための動作距離を形成しうる。
【００６９】
さらに、本開示は、アラインメント手段を備える測定装置に関する。測定装置は、所望のアラインメントをアラインメント手段によって達成するように構成される。具体的には、アラインメント手段は、測定装置に作動的に連結される。任意に、所望のアラインメントを達成するために測定装置および／またはユーザの位置が変更される。
【００７０】
本開示は、第１の光源の可視性範囲を光学部品から第１の距離Ｓ１まで調整することを含む、アラインメント手段を用いて測定装置をアラインする方法に関する。アラインメント手段を用いて測定装置をアラインする方法は、第２の光源の可視性範囲が光学部品から第２の距離Ｓ２から始まるように調整することをさらに含み、第２の距離Ｓ２は、第１の距離Ｓ１より小さい。さらに、第１および第２の光源は、ユーザの眼の測定装置からの所望の距離を達成するように測定装置を配置するために用いられる。さらに、第１および第２の光源は、所望のアラインメントを達成するように眼の水平および／または垂直位置を調整するために用いられる。
【００７１】
さらに、本開示は、先に記載されたようなアラインメント手段を備える測定装置を提供する。任意に、測定装置は、眼の圧力を測定するための装置である。さらに任意に、測定装置は、眼の圧力を測定するために眼の方へ押し出されるように構成されたプローブを備える。
【図面の詳細説明】
【００７２】
図１を参照すると、本開示のある実施形態による、測定装置１０２のアラインメント手段１００の概略説明図が示される。アラインメント手段１００は、ハウジング１０４を備える。アラインメント手段１００は、所望のアラインメントに平行な方向に主軸を有する光学部品１０６を備える。アラインメント手段１００は、第１の光源１０８および第２の光源１１０を備える。第１の光源１０８は、光学部品１０６から第１の距離Ｓ１に置かれ、第２の光源１１０は、光学部品１０６から第２の距離Ｓ２に置かれる。第１の光源１０８および第２の光源１１０は、光学部品１０６の方へ光を提供するように配置される。アラインメント手段１００は、光学部品１０６と、それぞれ第１および第２の光源１０８および１１０との間に配置された角度バリア手段１１２を備える。アラインメント手段は、支持構造を含む。支持構造は、内側支持構造部１１４および外側支持構造部１１８を備える。任意的なプローブ１１６は、眼１２０の特性を測定するために内側および外側支持構造１１４、１１８の内部で前後方向に移動するように配置される。
【００７３】
図１は、例に過ぎず、本出願の特許請求の範囲を不当に限定すべきではない。アラインメント手段１００の特定の名称は、例として提供され、アラインメント手段１００を光学部品、光源、およびの角度バリア手段の特定の数、タイプ、または配置に限定すると解釈されるべきではないことが理解されるべきである。当業者は、本開示の実施形態の多くの変形、代替物、および変更を認識するであろう。
【００７４】
図２を参照すると、本開示のある実施形態による、アラインメント手段（例えば、図１のアラインメント手段１００）の実装の概略説明図が示される。示されるように、アラインメント手段は、所望のアラインメントに平行な方向に主軸２０４を有する光学部品２０２を含む。さらに、第１の光源２０６は、主軸２０４から第１の高さｈ１に置かれる。加えて、第２の光源２０８は、主軸２０４から第２の高さｈ２に置かれる。第１の光源２０６および第２の光源２０８は、それぞれ光学部品２０２から距離Ｓ１およびＳ２において光学部品２０２と光学部品２０２の焦点Ｆとの間に置かれる。図ではＳ１およびＳ２が等しい。さらに、角度バリア手段２１０は、光学部品２０２と、第１の光源２０６および第２の光源２０８との間に置かれる。
【００７５】
第１の光源２０６からの光は、光学部品２０２を通過して、第１の光源２０６の虚像２１２を生成することがわかるであろう。同様に、第２の光源２０８からの光は、光学部品２０２を通過して、第２の光源２０８の虚像２１４を生成する。さらに、ハウジング（例えば、図１に示されるようなハウジング１０４）、光学部品２０２、および角度バリア手段２１０は、主軸２０４に沿って距離ｄ１'を上回る距離において第１の光源２０６の可視性をブロックするように配置される。そのうえ、ハウジング、光学部品２０２、および角度バリア手段２１０は、主軸２０４に沿ってｄ２より小さい距離において第２の光源２０８の可視性をブロックするように配置される。
【００７６】
説明のために、第１の光源２０６の虚像２１２から主軸２０４へ延びる第１のラインマーカ２１６は、第１の光源２０６がそれまでは視える距離ｄ１'を示す。同様に、第２の光源２０８の虚像２１４から主軸２０４へ延びる第２のラインマーカ２１８は、第２の光源２０８がそれ以降は視える距離ｄ２を示す。
【００７７】
図２は、例に過ぎず、本出願の特許請求の範囲を不当に限定すべきではない。アラインメント手段の実装のための特定の名称は、例として提供され、アラインメント１００を光学部品、光源、および角度バリア手段の特定の数、タイプ、または配置に限定すると解釈されるべきではないことが理解されるべきである。さらに、図２では、第１の光源２０６および第２の光源２０８が光学部品２０２から等しい距離に置かれると見なされる。当業者は、本開示の実施形態の多くの変形、代替物、および変更を認識するであろう。
【００７８】
図３を参照すると、本開示のある実施形態による、アラインメント手段の例示的な実装の概略説明図が示される。示されるように、アラインメント手段は、所望のアラインメントに平行な方向に主軸３０４を有する光学部品３０２を含む。さらに、第１の光源３０６は、主軸３０４から第１の高さｈ１（示されない）に置かれる。加えて、第２の光源３０８は、主軸３０４から第２の高さｈ２（示されない）に置かれる。さらに、第３の光源３１０は、主軸３０４から第３の高さｈ３（示されない）に置かれる。第１の光源３０６、第２の光源３０８および第３の光源３１０は、光学部品３０２と、光学部品３０２の焦点Ｆとの間に置かれる。さらに、角度バリア手段３１２は、光学部品３０２と、第１の光源３０６、第２の光源３０８および第３の光源３１０との間に置かれる。
【００７９】
第１の光源３０６からの光は、光学部品３０２を通過して、第１の光源３０６の虚像３１４を生成することがわかるであろう。同様に、第２の光源３０８からの光は、光学部品３０２を通過して、第２の光源３０８の虚像３１６を生成する。また、第３の光源３１０からの光は、光学部品３０２を通過して、第３の光源３１０の虚像３１８を生成する。さらに、ハウジング（例えば、図１に示されるようなハウジング１０４）、光学部品３０２、および角度バリア手段３１２は、主軸３０４に沿って距離ｄ１'を上回る距離において第１の光源３０６の可視性をブロックするように配置される。そのうえ、ハウジング、光学部品３０２、および角度バリア手段３１２は、主軸３０４に沿ってｄ２より小さい距離、およびｄ２'を上回る距離において第２の光源３０８の可視性をブロックするように配置される。さらに、ハウジング、光学部品３０２、および角度バリア手段３１２は、ｄ３より小さい距離において第３の光源３１０の可視性をブロックするように配置される。
【００８０】
説明のために、第１の光源３０６の虚像３１４から主軸３０４へ延びる第１のラインマーカ３２０は、第１の光源３０６がそれまでは視える距離ｄ１'を示す。同様に、第２の光源３０８の虚像３１６から主軸３０４へ延びる第２のラインマーカ３２２および第３のラインマーカ３２４は、それぞれ、第２の光源３０８がそれ以降は視える距離ｄ２、および第２の光源３０８がそれまでは視える距離ｄ２'を示す。また、第３の光源３１０の虚像３１８から主軸３０４へ延びる第４のラインマーカ３２６は、第３の光源３１０がそれ以降は視える距離ｄ３を示す。
【００８１】
図４Ａ、４Ｂおよび４Ｃを参照すると、本開示のある実施形態による、ユーザの眼に対するアラインメント手段（例えば、図１のアラインメント手段１００）の例示的な動作が示される。アラインメント手段は、図２に記載されるのと同様の仕方で実装される。とりわけ、ユーザの眼は、光学部品の主軸（例えば、図２の光学部品２０２の主軸２０４）にアラインされる。それぞれ、（図２の）第１の光源２０６および（図２の）第２の光源２０８の虚像２１２および２１４は、任意にプローブ４０２（例えば、図１のプローブ１１６）に中心が揃えられる。さらに、アラインメント手段は、測定装置１０２と、ユーザの眼との間の所望のアラインメント（具体的には、眼の測定装置１０２からの所望の距離）を達成しやすくするように構成される。
【００８２】
図４Ａでは、ユーザの眼がｄ１'を上回る距離に置かれている。それゆえに、第２の光源２０８の虚像２１４のみが光学部品を通してユーザの眼に視える。
【００８３】
図４Ｂでは、ユーザの眼がｄ２を上回りｄ１'より小さい距離に置かれている。それゆえに、それぞれ第１の光源２０６および第２の光源２０８の虚像２１２および２１４が光学部品を通してユーザの眼に視える。
【００８４】
図４Ｃでは、ユーザの眼がｄ２より小さい距離に置かれている。それゆえに、第１の光源２０６の虚像２１２のみが光学部品を通してユーザの眼に視える。
【００８５】
（図４Ｂに示されるように）それぞれ第１の光源２０６および第２の光源２０８の虚像２１２および２１４がユーザの眼に視えるときに、ユーザの眼は、測定装置に対して所望の距離に置かれていることがわかるであろう。しかしながら、（図４Ａに示されるように）第２の光源２０８の虚像２１４のみがユーザの眼に視えるときには、ユーザは、測定装置に対して遠くに位置している。同様に、（図４Ｃに示されるように）第１の光源２０６の虚像２１２のみがユーザの眼に視えるときには、ユーザは、測定装置の近くに位置している。
【００８６】
図５Ａ、５Ｂおよび５Ｃを参照すると、本開示のある実施形態による、ユーザの眼に対するアラインメント手段（例えば、図１のアラインメント手段１００）の例示的な動作が示される。アラインメント手段は、図２に記載されるのと同様の仕方で実装される。とりわけ、ユーザの眼は、測定装置（例えば、図１の測定装置１０２）から所望の距離に置かれる。それぞれ、（図２の）第１の光源２０６および（図２の）第２の光源２０８の虚像２１２および２１４は、任意にプローブ４０２（例えば、図１のプローブ１１６）に中心が揃えられる。さらに、アラインメント手段は、測定装置１０２と、ユーザの眼との間の所望のアラインメント（具体的には、測定装置１０２に対する眼の所望の垂直および水平アラインメント）を達成しやすくするように構成される。
【００８７】
図５Ａでは、ユーザの眼は、測定装置１０２に対して水平方向にずれている。それゆえに、第２の光源２０８の虚像２１４は、第１の光源２０６の虚像２１２と水平方向に部分的に重なる。
【００８８】
図５Ｂでは、ユーザの眼は、測定装置１０２に対して所望の垂直および水平アラインメントにある。それゆえに、第２の光源２０８の虚像２１４および第１の光源２０６の虚像２１２は、実質的に中心が揃えられている。
【００８９】
図５Ｃでは、ユーザの眼は、測定装置１０２に対して垂直方向にずれている。それゆえに、第２の光源２０８の虚像２１４は、第１の光源２０６の虚像２１２と垂直方向に部分的に重なる。
【００９０】
図６Ａは、本開示のある実施形態による、前方から見られるようなアラインメント手段の斜視説明図であり、図６Ｂは、背後から見られるようなアラインメント手段の斜視説明図である。アラインメント手段は、所望のアラインメントに平行な方向に主軸を有する光学部品６０６を備える。アラインメント手段は、第１の光源６２０、第２の光源６２２および第３の光源６２４を備える。光源は、本例では環状光源である。光源は、光学部品６０６から等しい距離に配置される。環状光源は、環状ライトガイドおよびそれぞれのライトガイドに光を提供するＬＥＤ（示されない）を備える。第１の光源６２０の第１の環状ライトガイドは、ｈ１の半径を有する。第２の光源６２２の第２の環状ライトガイドは、ｈ２の半径を有する。第３の光源６２４の第３の環状ライトガイドは、ｈ３の半径を有する。半径ｈ１は、半径ｈ２より小さい。半径ｈ２は、半径ｈ３より小さい。ライトガイドは、異なる色の光（または代わりに、例えば、ライトガイド間を識別するために人への専用パターンをもつ閃光）を発する。光源６２０、６２２、６２４および光学部品６０６は、内側支持構造部６１４の周りに配置される。内側支持構造は、与えられた例では中空管である。眼の特性を測定するためにアラインメント手段を有する測定装置が用いられるときには、任意的なプローブ６１６がユーザの眼の方へ押し出されるように構成される。プローブ６１６は、外側支持構造６１８で部分的に覆われる。プローブ６１６は、内側支持構造部６１４の周りに配置された任意的なコイル配置６３０を用いて押し出される／制御される／保持される。角度バリア手段６１２は、光学部品６０６と光源との間に配置される。図６Ａおよび６Ｂの例の角度バリア手段６１２は、角度バリアディスクである。
【００９１】
上に記載された本開示の実施形態の変更は、添付の特許請求の範囲によって定義される本開示の範囲から逸脱することなく可能である。本開示を記載し、請求するために用いられる「含む（ｉｎｃｌｕｄｉｎｇ）」、「備える（ｃｏｍｐｒｉｓｉｎｇ）」、「組み込む（ｉｎｃｏｒｐｏｒａｔｉｎｇ）」、「有する（ｈａｖｅ）」、「である（ｉｓ）」のような表現は、非排他的なように解釈することが意図され、すなわち、明示的に記載されない項目、構成要素または要素も存在することを許容する。単数への言及は、複数にも関係すると解釈されるべきである。
【図１】
2021536285.tif 000003
【図２】
2021536285.tif 000004
【図３】
2021536285.tif 000005
【図４】
2021536285.tif 000006
【図５】
2021536285.tif 000007
【図６】
2021536285.tif 000008
【国際調査報告】
2021536285.tif 000009
2021536285.tif 000010